(57)【要約】      （修正有）【課題】ＩＥＥＥ８０２．１１標準に違反しないで音声通話を実行する無線音声端末が音声通話中にアクティブ/ドーズモードを効率的に繰り返して、無線音声端末の使用電力を減少させて通話可能時間を増加させるＷＬＡＮ音声通話の省電力方法及びその装置を提供する。【解決手段】  無線音声通話をする場合に、対象ステーションに該当するビーコンメッセージのビットを設定して送信し、その応答が受信されると、ステーションをPS-polling listに登録し、所定タイムスロットを割り当て、該当タイムスロット時間にデータ送信するアクセスポイントと、ドーズモードでアクセスポイントからビーコンメッセージが受信されると、アクティブモードに転換しながら受信されたビーコンメッセージを分析し、自機のビットが設定されている場合に、割り当てされるタイムスロット時間を算出し、そのタイムスロット時間にアクティブモードに転換して通信を行うステーションとを含む。【選択図】  図５
2005124159.tif 000002
【特許請求の範囲】
【請求項１】
無線音声通話のためにトラフィックを交換する必要がある場合に、該トラフィックを交換するステーションに、該当するビーコンメッセージのビットを設定して送信し、該ビーコンメッセージの応答を受信すると、当該ステーションをＰＳ−ｐｏｌｌｉｎｇ ｌｉｓｔに登録し、該ステーションに所定タイムスロットを割り当て、該当タイムスロット時間にトラフィックを送信する少なくとも一つ以上のアクセスポイントと、
ドーズモード状態で前記アクセスポイントからのビーコンメッセージを受信すると、アクティブモード状態に転換しながら該ビーコンメッセージを分析し、自機のビットが設定されている場合に、前記割り当てられたタイムスロット時間を算出して、そのタイムスロット時間にアクティブ状態に転換して当該トラフィックを交換する少なくとも一つ以上のステーションと、
を含むことを特徴とするＷＬＡＮ（Wireless LAN）システムの省電力装置。
【請求項２】
複数のステーションとトラフィックを交換するアクセスポイントであって、
各ステーションへ送信するトラフィックがある場合に、該トラフィックを受信するステーションを把握し、該把握したステーションに対応するＴＩＭ（Traffic Indication Map）ビットを設定してビーコンメッセージを生成し、該生成されたビーコンメッセージを各ステーションへ送信するビーコンメッセージ処理部と、
前記各ステーション別に割り当てるべき所定タイムスロットを算出するタイムスロット処理部と、
前記トラフィックを受信するステーションから前記ビーコンメッセージに対する応答メッセージが受信されると、当該ステーションにナンバー情報を付与し、該ステーションのアドレス情報とタイムスロット情報を保存するテーブルを生成し管理するテーブル管理部と、
を含むことを特徴とするＷＬＡＮ（Wireless LAN）アクセスポイント。
【請求項３】
ＷＬＡＮ（Wireless LAN）のアクセスポイント端末とトラフィックを交換するステーションであって、
前記アクセスポイントから受信したビーコンメッセージのＴＩＭ（Traffic Indication Map）を分析して、自機のビットが設定されているか否かを判断するメッセージ処理部と、
前記メッセージ処理部で自機のＴＩＭビットが設定されていると判断した場合に、前記ビーコンメッセージが受信された時間から前記アクセスポイントから初めのトラフィックが受信されるタイムスロット開始時間を算出し、前記トラフィック受信が完了されるタイムスロット終了時間を算出するタイムスロット算出部と、
ドーズモード状態中において前記ビーコンメッセージが受信されると、アクティブモード状態に転換して、前記メッセージ処理部で自機のＴＩＭビットが設定されていると判断した場合には、前記タイムスロット算出部で算出したタイムスロット開始時間になるとアクティブ状態に転換して、前記タイムスロット終了時間になると、再びドーズモード状態に転換する処理を行うモード状態処理部と、
を含むことを特徴とするＷＬＡＮ（Wireless LAN）ステーション。
【請求項４】
前記タイムスロット算出部は、前記アクセスポイントから割り当てられるタイムスロット開始時間からタイムスロット終了時間の間にフレームが交換されない場合が所定回数繰り返されると、前記タイムスロット開始時間が変更されたと判断して、前記タイムスロット開始時間を再算出すること
を特徴とする請求項３記載のＷＬＡＮ（Wireless LAN）ステーション。
【請求項５】
前記モード状態処理部は、前記メッセージ処理部で受信されるビーコンメッセージを分析して受信するトラフィックがあると判断した場合には、前記タイムスロット算出部で前記タイムスロット開始時間を算出するようにアクティブモード状態を維持し、その後にドーズモード状態を維持しながら前記タイムスロット開始時間から前記タイムスロット終了時間の間にだけアクティブモード状態を維持すること
を特徴とする請求項３記載のＷＬＡＮ（Wireless LAN）ステーション。
【請求項６】
ＷＬＡＮ（Wireless LAN）アクセスポイントのトラフィック処理における省電力方法であって、
任意のステーションに送信するトラフィックがある場合に、当該ステーションに対応するＴＩＭ（Traffic Indication Map）ビットを設定してビーコンメッセージを生成し、そのビーコンメッセージを各ステーションに送信する段階と、
各ステーションに所定タイムスロットを算出して割り当てる段階と、
当該ステーションからビーコンメッセージの応答メッセージが受信される場合に、該当ステーションにナンバー情報を付与して、ＰＳ−ｐｏｌｌｉｎｇ ｌｉｓｔに登録する段階と、
前記ＰＳ−ｐｏｌｌｉｎｇ ｌｉｓｔに登録された多数個のステーションに付与されたナンバー情報によって前記算出されたタイムスロットを割り当てて、該当ステーションに割り当てられたタイムスロットの間に前記トラフィックを送信する段階と、
を含むことを特徴とするＷＬＡＮ（Wireless LAN）アクセスポイントの省電力方法。
【請求項７】
前記ＰＳ−ｐｏｌｌｉｎｇ ｌｉｓｔは、前記応答メッセージを送信したステーションのナンバー情報と、前記ステーションの情報及び該当ステーションに割り当てるタイムスロットの開始時間の情報のうち、少なくとも一つ以上の情報を有すること
を特徴とする請求項６記載のＷＬＡＮ（Wireless LAN）アクセスポイントの省電力方法。
【請求項８】
ＷＬＡＮ（Wireless LAN）基盤で音声通話サービスを実行するステーションがトラフィックを処理する際の省電力方法であって、
アクセスポイントからのビーコンメッセージを受信すると、ドーズモード状態からアクティブモード状態へ転換して該ビーコンメッセージのＴＩＭを分析する段階と、
自機に付与されたＴＩＭのビットが設定されている場合に、当該ビーコンメッセージに対する応答メッセージを生成して送信する段階と、
該応答メッセージを送信し、次のビーコンメッセージ受信時間からトラフィックが受信される時間を算出する段階と、
当該トラフィックを受信すると、ドーズモード状態に戻り、前記算出された時間が経過すると、再度アクティブモード状態に転換して、前記アクセスポイントからトラフィックを受信する段階と、
を含むことを特徴とするＷＬＡＮ（Wireless LAN）ステーションの省電力方法。
【請求項９】
前記アクセスポイントから割り当てられるタイムスロットの間にトラフィックが所定回数受信されない場合に、前記トラフィックを受信するためにアクティブモード状態へ転換する時間を再算出する段階をさらに含むこと
を特徴とする請求項８記載のＷＬＡＮ（Wireless LAN）ステーションの省電力方法。
【請求項１０】
アクセスポイントと多数個のステイションとの間でトラフィックを交換する際の省電力方法であって、
ステーションに送信するトラフィックがある場合に、前記アクセスポイントが、該当するステーションのＴＩＭを設定してビーコンメッセージを生成／送信する段階と、
該ビーコンメッセージを受信したステーションが、ドーズモード状態からアクティブモード状態に転換して該受信したビーコンメッセージのＴＩＭを分析する段階と、
該分析の結果、自機のＴＩＭが設定されている場合に、当該ビーコンメッセージに対する応答メッセージを送信し、前記アクセスポイントからトラフィックが受信される時間を算出する段階と、
前記アクセスポイントが、前記ステーションからの応答メッセージを受信すると、ＰＳ−ｐｏｌｌｉｎｇ ｌｉｓｔに当該ステーションを登録する段階と、
前記アクセスポイントが、前記ＰＳ−ｐｏｌｌｉｎｇ ｌｉｓｔを参照して、割り当てられたタイムスロット期間に、該当するステーションにトラフィックを送信する段階と、
前記ステーションが、前記ビーコンメッセージを受信して、前記トラフィックの受信開始時間を算出する段階と、
前記ステーションが、前記アクセスポイントからのトラフィックの受信が完了すると、アクティブモード状態からドーズモード状態に転換する段階と、
前記ステーションが、前記アクセスポイントからの次のビーコンメッセージを受信すると、前記算出された時間の間にドーズモード状態で待機してから、アクティブモード状態に転換して前記アクセスポイントから次のトラフィックを受信する段階と、
を含むことを特徴とするＷＬＡＮ（Wireless LAN）システムの省電力方法。
【請求項１１】
前記ステーションが、前記アクセスポイントへ送信するトラフィックがある場合に、前記アクセスポイントから割り当てられたタイムスロットの間にアクティブモード状態に転換して前記トラフィックを送信する段階をさらに含むことを特徴とする請求項１０記載のＷＬＡＮ（Wireless LAN）システムの省電力方法。
【請求項１２】
前記ステーションが、前記アクセスポイントから割り当てられるタイムスロットの間にトラフィックが所定回数受信されない場合に、前記トラフィックを受信するためにアクティブモード状態に転換する時間を再算出する段階をさらに含むことを特徴とする請求項１０記載のＷＬＡＮ（Wireless LAN）システムの省電力方法。
【発明の詳細な説明】
【技術分野】
【０００１】
本発明は、ＷＬＡＮ（Wireless LAN）システムの省電力方法及びその装置に関し、より詳しくは、ＩＥＥＥ８０２．１１規約によって音声通話を実行する音声端末のドーズ/アクティブモードの割合を効率的に動作させて、該当音声端末の通話時間を向上させるＷＬＡＮ（Wireless LAN）システムの省電力方法及びその装置に関する。
【背景技術】
【０００２】
ＩＥＥＥのＷＬＡＮ（Wireless LAN）標準は、“Standard for Information technology- Telecommunications and information exchange between systems-Local and metropolitan area networks-Specific requirements-Part 11: Wireless LAN Medium Access Control (ＭＡＣ)and Physical Layer(ＰＨＹ)Specifications”1999Editionをもとにしている。
【０００３】
以下、ＩＥＥＥのＷＬＡＮ（Wireless LAN）標準について、ＩＥＥＥ８０２．１１標準で説明する。このＩＥＥＥ８０２．１１標準には、ＷＬＡＮ（Wireless LAN）を構成する物理階層（ＰＨＹ）と媒体アクセス制御(ＭＡＣ：Medium Access Control)に関する規定が定義されている。
【０００４】
ＭＡＣ階層は、公有媒体を使う端末または装置が媒体を利用ないしアクセスする際に守らなければならない手順と規則を定義し、それによって媒体の容量を効率的に利用できるようにする。そして、ＩＥＥＥ８０２．１１には、ＤＣＦ(Distributed Coordination Function)とＰＣＦ(Point Coordination Function)という二つのアクセス制御方式(access mechanism)が定義されている。
【０００５】
図１は、一般的なＩＥＥＥ８０２．１１による無線通信システムの全体構成ブロック図である。
【０００６】
図１に示すように、アクセスポイント(Access Point)１０は、無線音声端末である複数のステーション(ＳＴＡ：station)２０(＃１〜＃ｎ)と、無線による接続がなされる。ここで、ステーション２０は、無線媒体を占めてアクセスポイント１０とトラフィックを交換する機器を意味する。また、アクセスポイント１０は、無線-−有線のブリッジング機能、すなわち、ステーション２０と無線ネットワークにより交換するトラフィックを、有線ネットワークにより交換することができるようにトラフィック形態を交換するブリッジング機能を遂行する。
【０００７】
このようなアクセスポイント１０と多数個のステーション２０(＃１〜＃ｎ)で構成されて、基本的に無線通信を実行することができる領域を、基本サービスセット(ＢＳＳ：basic service set)と言う。
【０００８】
このようなＢＳＳでアクセスポイント１０と各ステーション２０との間でトラフィックを交換するための方式は、ＤＣＦ(Distribute Coordination Function)とＰＣＦ(Point Coordination Function)とに大別される。
【０００９】
このうち、ＰＣＦは、ポーリング(Polling)方式を基盤とする中央集中的な媒体アクセス制御方式であって、ＢＳＳを管掌するＰＣ(Point Coordination)が、ＢＳＳに属する全てのステーション２０の媒体アクセス(Medium Access)を制御する方式である。
【００１０】
そして、各ステーション２０と無線ＬＡＮ（ＷＬＡＮ）を通じて無線通信を実行するアクセスポイント１０は、ＰＣ(Point Coordination)に該当する。
【００１１】
このようなＰＣＦの方式では、ＣＦＰ(Contention Free Period)とＣＰ(Contention Period)が交互に反復され、ＣＦＰ区間では、ＰＣ(Point Coordination)から送信機会(Poll)を受けたステーション２０だけが送信機会を有する。
【００１２】
また、ＣＰ区間では、ＢＳＳ内の各ステーション２０が送信機会を獲得するために競争し、その競争で生き残ったステーション２０が無線媒体を占有してフレームを交換する。
【００１３】
一方、ＤＣＦは、各ステーション２０がＣＳＭＡ/ＣＡによって無線媒体が使用中であるか否かをチェックし、使用中である場合には、一定時間待機して、無線媒体が未使用中となった場合に、バックオフ過程(Back off procedure)を経ってトラフィックを送信する方式である。
【００１４】
図２は、ＩＥＥＥ８０２．１１によるＤＣＦのアクセス制御方式を説明するための図である。
【００１５】
図２に示すように、ステーション２０では、ＩＥＥＥ８０２．１１規格に基本事項として定義されたアクセス制御方式で、ＣＳＭＡ/ＣＡ(Carrier Sense Multiple Access/Collision Avoidance)として知られた、競争を基盤とするアルゴリズムが用いられている。
【００１６】
ＣＳＭＡ/ＣＡ基盤のＷＬＡＮ（Wireless LAN）システムでは、ステーション２０は、無線媒体が使用中であるか否かをチェックし、媒体が使用中（BUSY MEDIUM）である場合には、一定時間待機して、無線媒体が未使用中となった場合に、バックオフタイムを減少させる。このように各ステーション２０がトラフィック送信を開始するために待つ一定時間をＩＦＳ(interframe space)と言う。図示のように、ＭＡＣプロトコルトラフィックには大きく三種類のＩＦＳがある。すなわち、図２において、ＤＩＦＳはＤＣＦ interframe spaceを示し、ＰＩＦＳはＰＣＦ interframe spaceを示し、ＳＩＦＳはShort interframe spaceを示す。
【００１７】
ここでは、ＤＣＦ方式を使うステーション２０がフレームを送信することを例として説明する。
【００１８】
ＤＣＦ方式を使うステーション２０は、フレームを送信する前にまず、無線媒体が使用中であるか否かをチェックする。
【００１９】
もしも、媒体がＤＩＦＳ(ＤＣＦ interframe space)より大きい（長い）か同じ時間の間でアイドル(Idle)状態であれば、ステーション２０は、バックオフ手続きを開始するようになり、バックオフタイマーの値が０になったときに初めて無線媒体を占有して、フレームを送信する。
【００２０】
このバックオフ手続き時には、バックオフタイマー(Backoff Timer)にランダム(random)なバックオフタイム値が割り当てられる。このランダムなバックオフタイムは、次の数式１による。
【数１】
2005124159.tif 000003
【００２１】
このバックオフタイマーは、媒体がスロットタイム(slottime)の間に未使用（アイドル）状態で持続する場合にはスロットタイムと同じだけ減少し、媒体が一瞬でも使用中(Busy)状態になれば減少を中止する。
【００２２】
バックオフタイマーは、媒体がＤＩＦＳの間にアイドル状態になった後からさらにスロットタイム単位で減少することができる。このときのバックオフタイムは、生成された値ではなく、媒体使用中状態の直前にバックオフタイマーが持った値である。
【００２３】
また、任意のステーション２０に設定されたバックオフタイムは、媒体が未使用状態でタイムスロット単位で減少するようになり、送信競争で失敗して再度の送信競争を実行しなければならない場合には、以前の競争過程で減少された値からタイムスロット単位ずつ減少するようになる。このようにして、ステーションは、バックオフタイマーが０になったときに初めて送信できる。
【００２４】
送信に成功したステーション２０は、たとえキュー（queue）が空いている場合すなわち送信するフレームがない場合であっても、バックオフ手続きによってバックオフタイマーにランダムなバックオフタイムを割り当てる。これにより、各ステーション２０は、フレーム送信とフレーム送信との間に、必ず一回のバックオフタイムが必要となる。
【００２５】
このようなＤＣＦのアクセス制御方式は、ポーリング制御方式に比べて容易に実現でき、スケジューリング(scheduling)のような複雑な計算過程が不要で、また、柔軟な特性を備えている。そして、このような理由により、無線媒体を他のステーション２０が占有していない場合には、送信するフレームの多いステーション２０は、多くの帯域を使うことができる。
【００２６】
しかしながら、このようなＤＣＦのアクセス制御方式は、省電力(power saving)の側面からは、ステーション２０の通話待機期間の間だけしか使用できないため、その使用適用範囲が非常に制限されることになる。
【００２７】
図３は、ＩＥＥＥ８０２．１１によるＰＣＦのアクセス制御方式を説明するための図である。
【００２８】
図３に示すように、アクセスポイント１０は、各ステーション２０に送信機会(Poll)を付与し、アクセスポイント１０から送信機会の割当を受けた該当するステーションは、自機の送信機会に応答（ack）して該送信機会にフレームを送信する。
【００２９】
即ち、アクセスポイント１０は、自機の調査リスト(ｐｏｌｌｉｎｇ ｌｉｓｔ)に登載されている各ステーション２０の順にＰｏｌｌを割り当て、アクセスポイント１０からＰｏｌｌの割当を受けた該当ステーション２０は、これに応答（acknowledgment）して、自機のＰｏｌｌ上でフレームを交換する。
【００３０】
このようなＰＣＦのアクセス制御方式について、図４を参照して詳しく説明する。
【００３１】
図４は、一般的なＰＣＦのアクセス制御方式で省電力アルゴリズムを説明するためのフローチャートである。
【００３２】
図４を参照すると、まず、アクセスポイント１０は、他のネットワーク(図示せず)からステーション２０へ送信するフレームを受信して(ステップＳ1)、臨時保存する(ステップＳ２)。
【００３３】
そして、アクセスポイント１０は、当該フレームを受信するステーション２０を把握し、そのステーション２０に該当するＴＩＭ（Traffic Indication Map）のビットを‘１'に設定してビーコンメッセージ(beacon  Message)を生成し、そのビーコンメッセージを各ステーション２０へ送信する(ステップＳ３)。
【００３４】
このとき、アクセスポイント１０は、生成されたビーコンメッセージをＢＳＳ領域内にある全てのステーション２０が受信できるように、ブロードキャスティング方式で送信する。
【００３５】
続いて、各ステーション２０は、ドーズモード(doze  Mode)からウェイクアップしてアクティブモード(active Mode)になりながら、受信されるビーコンメッセージのＴＩＭを分析して判定する(ステップＳ４)。
【００３６】
そして、各ステーション２０は、自機のＴＩＭが‘０'である場合には、自機が受信するフレームが無いと判断して、さらにドーズモードになって、次に受信されるビーコンメッセージの受信を待機する。
【００３７】
一方、各ステーション２０は、自機のＴＩＭが‘１'に設定されている場合には、自機が受信するフレームが有ると判断して、アクセスポイント１０から割り当てられるＰｏｌｌに対する応答（acknowledgment）としてのＰＳ−ｐｏｌｌメッセージを生成し、アクセスポイント１０に送信する(ステップＳ５)。
【００３８】
アクセスポイント１０は、ステーション２０からのＰＳ−ｐｏｌｌメッセージを受信すると、該当ステーション２０に割り当てられるＰｏｌｌに臨時保存されているフレームを、無線媒体を通じて送信する(ステップＳ６)。
【００３９】
そして、当該ステーション２０は、アクセスポイント１０からフレームを受信すると、その次のＰｏｌｌにおいて、応答としてのＰＳ−ｐｏｌｌメッセージを送信し(ステップＳ７)、その後さらに、次のフレームを受信する(ステップＳ８)。
【００４０】
これと同様に、ステーション２０からアクセスポイント１０に送信するフレームがある場合には、各ステーション２０は、アクセスポイント１０から割り当てられるＰｏｌｌに対する応答をし、自機のＰｏｌｌのフレームをアクセスポイント１０に対して送信する。
【００４１】
このようなＰＣＦのアクセス制御方式では、各ステーション２０は、アクセスポイント１０から受信されるビーコンメッセージのＴＩＭビットをチェックして、自機のＴＩＭビットが‘１'に設定されている場合には、そのビーコンメッセージを受信する瞬間からフレーム受信が終わる瞬間までずっとアクティブ状態を維持しなければならない。
【００４２】
即ち、ステーション２０は、自機が受信しなければならないフレームがアクセスポイント１０から受信される時点を把握できないので、音声通話中は常にアクティブモードを維持しなければならないという問題が生じる。
【発明の開示】
【発明が解決しようとする課題】
【００４３】
本発明は、上述した従来技術の問題点を解決するためになされたもので、その目的は、ＩＥＥＥ８０２．１１標準に違反することなく、ＷＬＡＮ（Wireless LAN）を基盤で音声通話を実行する無線音声端末が音声通話中にアクティブ/ドーズモードを効率的に繰り返して、無線音声端末の使用電力を減少させて通話可能時間自体を増加させるＷＬＡＮ（Wireless LAN）基盤の音声通話中の省電力方法及びその装置を提供することにある。
【課題を解決するための手段】
【００４４】
上記目的を達成するための本発明の一側面によるＷＬＡＮ（Wireless LAN）システムの省電力装置は、無線音声通話のためにトラフィックを交換する必要がある場合に、該トラフィックを交換するステーションに、該当するビーコンメッセージのビットを設定して送信し、該ビーコンメッセージの応答を受信すると、当該ステーションをＰＳ−ｐｏｌｌｉｎｇ ｌｉｓｔに登録し、該ステーションに所定の（predetermined）タイムスロットを割り当て、該当タイムスロット時間にトラフィックを送信する少なくとも一つ以上のアクセスポイントと、ドーズモード状態で前記アクセスポイントからのビーコンメッセージを受信すると、アクティブモード状態に転換しながら該ビーコンメッセージを分析し、自機のビットが設定されている場合に、前記割り当てられたタイムスロット時間を算出して、そのタイムスロット時間にアクティブ状態に転換して当該トラフィックを交換する少なくとも一つ以上のステーションと、を含む。
【００４５】
また、本発明によるアクセスポイントは、ステーションへ送信するトラフィックがある場合に、該トラフィックを受信するステーションを把握し、該把握したステーションに対応するＴＩＭ（Traffic Indication Map）ビットを設定してビーコンメッセージを生成し、該生成されたビーコンメッセージを各ステーションへ送信するビーコンメッセージ処理部と、前記各ステーション別に割り当てるべき所定タイムスロットを算出するタイムスロット処理部と、前記トラフィックを受信するステーションから前記ビーコンメッセージに対する応答メッセージが受信されると、当該ステーションにナンバー情報を付与し、該ステーションのアドレス情報とタイムスロット情報を保存するテーブルを生成し管理するテーブル管理部と、を含む。
【００４６】
また、本発明によるステーションは、アクセスポイントから受信したビーコンメッセージのＴＩＭ（Traffic Indication Map）を分析して、自機のビットが設定されているか否かを判断するメッセージ処理部と、前記メッセージ処理部で自機のＴＩＭビットが設定されていると判断した場合に、前記ビーコンメッセージが受信された時間から前記アクセスポイントから初めのトラフィックが受信されるタイムスロット開始時間を算出し、前記トラフィック受信が完了されるタイムスロット終了時間を算出するタイムスロット算出部と、ドーズモード状態中において前記ビーコンメッセージが受信されると、アクティブモード状態に転換して、前記メッセージ処理部で自機のＴＩＭビットが設定されていると判断した場合には、前記タイムスロット算出部で算出したタイムスロット開始時間になるとアクティブ状態に転換して、前記タイムスロット終了時間になると、再びドーズモード状態に転換する処理を行うモード状態処理部と、を含む。
【００４７】
一方、本発明の他の側面によるＷＬＡＮ（Wireless LAN）アクセスポイントの省電力方法は、任意のステーションに送信するトラフィックがある場合に、当該ステーションに対応するＴＩＭ（Traffic Indication Map）ビットを設定してビーコンメッセージを生成し、そのビーコンメッセージを各ステーションに送信する段階と、各ステーションに所定タイムスロットを算出して割り当てる段階と、当該ステーションからビーコンメッセージの応答メッセージが受信される場合に、該当ステーションにナンバー情報を付与して、ＰＳ−ｐｏｌｌｉｎｇ ｌｉｓｔに登録する段階と、前記ＰＳ−ｐｏｌｌｉｎｇ ｌｉｓｔに登録された多数個のステーションに付与されたナンバー情報によって前記算出されたタイムスロットを割り当てて、該当ステーションに割り当てられたタイムスロットの間に前記トラフィックを送信する段階と、を含む。
【００４８】
また、本発明のさらに他の側面によるＷＬＡＮ（Wireless LAN）ステーションの省電力方法は、アクセスポイントからのビーコンメッセージを受信すると、ドーズモード状態からアクティブモード状態へ転換して該ビーコンメッセージのＴＩＭを分析する段階と、自機に付与されたＴＩＭのビットが設定されている場合に、当該ビーコンメッセージに対する応答メッセージを生成して送信する段階と、該応答メッセージを送信し、次のビーコンメッセージ受信時間からトラフィックが受信される時間を算出する段階と、当該トラフィックを受信すると、ドーズモード状態に戻り、前記算出された時間が経過すると、再度アクティブモード状態に転換して、前記アクセスポイントからトラフィックを受信する段階と、を含む。
【００４９】
また、本発明のさらに他の側面によるＷＬＡＮ（Wireless LAN）システムの省電力方法は、ステーションに送信するトラフィックがある場合に、前記アクセスポイントが、該当するステーションのＴＩＭを設定してビーコンメッセージを生成／送信する段階と、該ビーコンメッセージを受信したステーションが、ドーズモード状態からアクティブモード状態に転換して該受信したビーコンメッセージのＴＩＭを分析する段階と、該分析の結果、自機のＴＩＭが設定されている場合に、当該ビーコンメッセージに対する応答メッセージを送信し、前記アクセスポイントからトラフィックが受信される時間を算出する段階と、前記アクセスポイントが、前記ステーションからの応答メッセージを受信すると、ＰＳ−ｐｏｌｌｉｎｇ ｌｉｓｔに当該ステーションを登録する段階と、前記アクセスポイントが、前記ＰＳ−ｐｏｌｌｉｎｇ ｌｉｓｔを参照して、割り当てられたタイムスロット期間に、該当するステーションにトラフィックを送信する段階と、前記ステーションが、前記ビーコンメッセージを受信して、前記トラフィックの受信開始時間を算出する段階と、前記ステーションが、前記アクセスポイントからのトラフィックの受信が完了すると、アクティブモード状態からドーズモード状態に転換する段階と、前記ステーションが、前記アクセスポイントからの次のビーコンメッセージを受信すると、前記算出された時間の間にドーズモード状態で待機してから、アクティブモード状態に転換して前記アクセスポイントから次のトラフィックを受信する段階と、
を含む。
【発明の効果】
【００５０】
本発明によれば、音声通話中のステーションであるドーズ/アクティブモードの割合（配分）を効率的に割り当て、ステーションの電力消耗を減少させ、音声通話時間自体を増加させる効果がある。 
【００５１】
一般的に、ステーションは、ドーズモード状態とアクティブモード状態とに大別され、さらにアクティブモード状態は、送信状態、受信状態、及びアイドル状態の３つに区別することができる。このようなアクティブ状態では、たとえアイドル状態であっても、その電力消耗量は、送信状態と受信状態の電力消耗量の５０％以上にもなる。
【００５２】
しかしながら、本発明による一例を挙げると、非競争(ＣＦＰ)時間が２０ms、ステーションがドーズモード状態からアクティブモード状態に転換する時間が１ms、フレーム送信時間が１msである場合には、ドーズ/アクティブモードの割合を、既存の１００％に比して１０％にまで減少させることができる。 
【００５３】
これは、既存の方式での通話可能時間が２時間である場合、本発明を適用することにより、その通話可能時間を理想的には１０時間にまで向上させる効果がある。
【発明を実施するための最良の形態】
【００５４】
以下、添付図面を参照して、本発明によるＷＬＡＮ（Wireless LAN）基盤の音声通話中の省電力方法及びその装置について詳しく説明する。
【００５５】
図５は、本発明の好ましい実施形態によるＷＬＡＮ（Wireless LAN）アクセスポイントの内部構成を示すブロック図である。
【００５６】
図５に示すように、ＷＬＡＮアクセスポイント１０は、無線インターフェース部１１、ＣＰＵ等からなり、この装置全体の制御を司る制御部１３、ＲＡＭ等からなり、制御部１３の外部記憶装置としての保存部１４、有線インターフェース部１２及びバッファー(buffer)１５を含む。ここで、制御部１３は、タイムスロット処理部１３ａ、及びテーブル管理部１３ｂを含む。
【００５７】
また、保存部１４は、後述するＰＳ−ｐｏｌｌｉｎｇ ｌｉｓｔテーブル１４ａを保存する。
【００５８】
無線インターフェース部１１は、当該ＷＬＡＮアクセスポイント１０が無線近距離通信網(Wireless LAN)を通じて、無線音声端末である各ステーション２０と無線通信を実行するようにインターフェーシングする。
【００５９】
有線インターフェース部１２は、当該アクセスポイント１０が有線ネットワーク(図示せず)を通じてフレームを送/受信することができるようにインターフェーシングする。
【００６０】
バッファー１５は、当該ＷＬＡＮアクセスポイント１０が有線ネットワークまたはＷＬＡＮを通じて受信したフレームを一時的に（臨時）保存する。
【００６１】
保存部１４は、当該ＷＬＡＮアクセスポイント１０の運用情報及び有/無線通信を実行するように付与されたＩＰアドレス情報などを保存する。
【００６２】
また、保存部１４のＰＳ−ｐｏｌｌｉｎｇ ｌｉｓｔテーブル１４ａは、現在ＷＬＡＮアクセスポイント１０が管理している各ステーション別にナンバー情報、アドレス情報及びタイムスロット時間情報を有する。
【００６３】
制御部１３は、ＰＣＦアクセス制御方式に従って各ステーション２０へのビーコンメッセージを生成して、無線インターフェース部１１を介して送信する。そして、フレームを受信するステーション２０でタイムスロットを割り当て、そのタイムスロットの間でステーション２０とフレームを交換する。
【００６４】
そして、制御部１３のタイムスロット処理部１３ａは、このＷＬＡＮアクセスポイント１０が現在管理している各ステーション２０のタイムスロットを割り当てる。
【００６５】
ここで、タイムスロット処理部１３ａが各ステーション２０に割り当てるタイムスロットは、該当するステーション２０がアクセスポイント１０と無線通信によってフレームを交換することができる時間である。
【００６６】
このとき、タイムスロット処理部１３ａは、ＣＦＰ期間の間に同時に管理するステーション２０の数について、次の数式２を通じて算出することができる。
【数２】
2005124159.tif 000004
【００６７】
ここで、‘Nx'はＣＦＰ期間の間にＷＬＡＮアクセスポイント１０が同時に管理できるステーション２０の数であり、‘ＣＦＰ interval'はＣＦＰ期間の間の時間であり、‘max. allowed beacon slot'はＷＬＡＮアクセスポイント１０が各ステーション２０に送信するビーコンメッセージの送信時間である。
【００６８】
また、‘length of a time slot'はＷＬＡＮアクセスポイント１０が各ステーション２０に割り当てられるタイムスロット時間であり、このようなタイムスロット時間は下記の数式３を通じて算出することができる。
【数３】
2005124159.tif 000005
【００６９】
ここで、ＳＩＦＳはフレームを送信することができる最小間隔時間であり、‘link speed'はＷＬＡＮアクセスポイント１０とステーション２０との間の送信速度であり、‘length of a voice packet'は一つのボイスフレームの長さである。
【００７０】
即ち、ＷＬＡＮアクセスポイント１０が各ステーション２０に付与するタイムスロット時間は、所定時間の間に該当ステーション２０が無線媒体を占有して無線通信を実行することができる時間である。
【００７１】
そして、制御部１３のテーブル管理部１３ｂは、保存部１４に保存されている ＰＳ−ｐｏｌｌｉｎｇ ｌｉｓｔテーブル１４ａを管理する。
【００７２】
即ち、テーブル管理部１３ｂは、現在ＷＬＡＮアクセスポイント１０が管理している各ステーション２０別に、ナンバー情報、アドレス情報及びタイムスロット時間情報を管理する。
【００７３】
このような ＰＳ−ｐｏｌｌｉｎｇ ｌｉｓｔテーブルは下記の表１のような構造を持つことができる。
【表１】
2005124159.tif 000006
【００７４】
表１に示されるように、ＰＳ−ｐｏｌｌｉｎｇ ｌｉｓｔテーブル１４ａは、ステーション別のナンバー情報と、各ナンバーが付与されたステーション２０の情報と、それぞれのステーション２０に付与されたタイムスロット時間情報と、を有する。
【００７５】
このうち、タイムスロット時間情報は、該当（対応）するステーション２０が、ビーコンメッセージを受信して、ドーズモードからアクティブモードへと転換されてＷＬＡＮアクセスポイント１０とフレームを交換することができる時間についての情報である。
【００７６】
このようなテーブル管理部１３ｂがＰＳ−ｐｏｌｌｉｎｇ ｌｉｓｔテーブル１４ａを管理する方法は、各ステーション２０がＷＬＡＮアクセスポイント１０のサービス領域に近付く（approach）過程で送信される登録要請に従って登録するのではなく、現在無線通信を遂行しているステーション２０のみを管理する。
【００７７】
即ち、テーブル管理部１３ｂは、ＷＬＡＮアクセスポイント１０から受信されるビーコンメッセージを分析して、音声通話のためにフレームを交換し始めるステーション２０からＰＳ−ｐｏｌｌメッセージが受信されると、そのステーション２０をＰＳ−ｐｏｌｌｉｎｇ ｌｉｓｔに登録して管理する。
【００７８】
例えば、バッファー１５にステーション１(２０＃１)へ送信するフレームが臨時保存されている場合には、制御部１３は、ステーション１(２０＃１)に該当（対応）するＴＩＭ（Traffic Indication Map）のビットを‘１'に設定して該ＴＩＭを含めたビーコンメッセージを生成し、その生成したビーコンメッセージをステーション１(２０＃１)へ送信する。
【００７９】
そして、ステーション１(２０＃１)は、ＷＬＡＮアクセスポイント１０から受信されるビーコンメッセージのＴＩＭを分析し、自機のビットが‘１'に設定されていると判断すると、応答としてのＰＳ−ｐｏｌｌメッセージを生成してＷＬＡＮアクセスポイント１０に送信する。
【００８０】
その後、ＷＬＡＮアクセスポイント１０のテーブル管理部１３ｂは、ＰＳ−ｐｏｌｌメッセージを送信したステーション１(２０＃１)を、初めてＰＳ−ｐｏｌｌｉｎｇ ｌｉｓｔテーブル１４ａに追加登録する。
【００８１】
即ち、ＷＬＡＮアクセスポイント１０のテーブル管理部１３ｂは、ステーション２０がＢＳＳに近付く（approach）時点でＰＳ−ｐｏｌｌｉｎｇ ｌｉｓｔに登録するのではなく、ＰＳ−ｐｏｌｌメッセージを送信したステーション２０を、ＰＳ−ｐｏｌｌｉｎｇ ｌｉｓｔに登録する。
【００８２】
また、ＷＬＡＮアクセスポイント１０は、ＰＳ−ｐｏｌｌｉｎｇ ｌｉｓｔを参照して、当該ステーション２０に付与されたナンバー情報に相応するタイムスロット時間に送信するフレームを送る。
【００８３】
このようにテーブル管理部１３ｂが現在無線通信中のステーション２０のみを管理するのは、ＷＬＡＮアクセスポイント１０が一層効率的に各ステーション２０を管理するためであり、実際に通話中のステーション２０のみを管理することにより、一層多くのステーション２０を同時に管理できるようになる。
【００８４】
また、バッファー１５にステーション２(２０＃２)へ送信するフレームが臨時保存されている場合には、制御部１３は、ＴＩＭのステーション２(２０＃２)ビットを‘１'に設定してビーコンメッセージを生成し、各ステーション２０へ送信し、ステーション２(２０＃２)からPS-pollingメッセージが受信されると、テーブル管理部１３ｂは、ステーション２(２０＃２)に‘２'番のナンバーを付与し、そのステーションをＰＳ−ｐｏｌｌｉｎｇ ｌｉｓｔテーブル１４ａに追加登録する。
【００８５】
一方、テーブル管理部１３ｂは、ＰＳ−ｐｏｌｌｉｎｇ ｌｉｓｔに登録されているステーション２０から脱退要求（‘Re-association Request'）メッセージが受信される場合に、そのステーション２０の登録をＰＳ−ｐｏｌｌｉｎｇ ｌｉｓｔテーブル１４ａから削除し、そのステーション２０に付与されたナンバーフィールドを空白状態に転換する。
【００８６】
即ち、現在無線通信中であるステーション２０がＷＬＡＮアクセスポイント１０の管理から脱しようと‘Re-association Request'メッセージを送信する場合には、テーブル管理部１３ｂは、受信した‘Re-association Request'メッセージの‘CF-Pollable'または'CF-Poll Request'のフィールドが‘０'であるか否かをチェックして、‘０'である場合には、当該ステーション２０が無線通信を終了しようとすると判断して、ＰＳ−ｐｏｌｌｉｎｇ ｌｉｓｔテーブル１４ａから、該当するステーション２０の登録を削除する。
【００８７】
また、他のステーション２０からＰＳ−ｐｏｌｌメッセージが受信される場合には、そのステーション２０に空白状態であるナンバー情報を付与して、ＰＳ−ｐｏｌｌｉｎｇ ｌｉｓｔテーブル１４ａに追加登録する。
【００８８】
図６は、本発明の好ましい実施形態によるＷＬＡＮ（Wireless LAN）基盤の音声通話中に電力を減少させるためにタイムスロットを割り当てる方法の流れを説明するためのタイミングチャートである。
【００８９】
図６を参照すると、各ステーション（ＳＴＡ１〜ＳＴＡｎ）の非競争期間(ＣＦＰ)と競争期間(ＣＰ)が反復的に形成されることが分かる。
【００９０】
ここで、非競争期間は、ＷＬＡＮアクセスポイント１０がポーリング方式に従って各ステーション１０に送信機会(poll)を提供するＰＣＦ方式を使う期間であり、競争期間は、各ステーション２０が送信機会を獲得するためにＤＣＦ方式に従って競争する期間である。
【００９１】
以下、本発明による通話中非競争期間でＷＬＡＮアクセスポイント１０が各ステーション２０とフレームを交換する場合について説明する。
【００９２】
まず、制御部１３のタイムスロット処理部１３ａは、タイムスロットの時間を上述した数式２により算出する。
【００９３】
また、テーブル管理部１３ｂは、タイムスロット処理部１３ａで算出したタイムスロット時間に従ってＰＳ−ｐｏｌｌｉｎｇ ｌｉｓｔテーブル１４ａを生成して保存する。
【００９４】
ＷＬＡＮアクセスポイント１０の制御部１３は、有線ネットワーク(図示せず)から、ステーション２０へ送信（転送）すべきフレームを受信した場合には、その受信したフレームをバッファー１５に臨時保存し、受信されたフレームを送信（転送）すべきステーション２０を把握する。
【００９５】
また、制御部１３は、フレームを受信するステーション２０に該当するＴＩＭビットを‘１'に設定してビーコンメッセージを生成し、当該生成したビーコンメッセージを、各ステーション２０に対して送信する。
【００９６】
一方、ステーション２０は、ドーズモード中にＷＬＡＮアクセスポイント１０からのビーコンメッセージを受信すると、ドーズモードからアクティブモードに転換する。そして、受信したビーコンメッセージのＴＩＭをチェックし、自機のビットが‘１'に設定されているか否かについて判定する。
【００９７】
その判定結果、自機のビットに該当するＴＩＭが‘０'に設定されている場合には、自機で受信するフレームが無いので、さらにドーズモードに戻り、一方、‘１'に設定されている場合には、自機で受信するフレームが有るので、ＰＳ−ｐｏｌｌメッセージを生成して、ＷＬＡＮアクセスポイント１０へ送信する。
【００９８】
制御部１３のテーブル管理部１３ｂは、ＰＳ−ｐｏｌｌメッセージを送信したステーション２０を、ＰＳ−ｐｏｌｌｉｎｇ ｌｉｓｔテーブル１４ａに追加登録する。
【００９９】
即ち、テーブル管理部１３ｂは、当該ステーション２０がＷＬＡＮアクセスポイント１０のサービス領域に近付く際にＰＳ−ｐｏｌｌｉｎｇ ｌｉｓｔに登録するのではなく、そのステーション２０がビーコンメッセージを確認した後にＰＳ−ｐｏｌｌメッセージを送信する場合に、ＰＳ−ｐｏｌｌｉｎｇ ｌｉｓｔに登録する。
【０１００】
そして、当該ステーション２０は、自機に割り当てられたタイムスロットの時間(Ｔｎ)を算出する。
【０１０１】
このとき、タイムスロットの時間‘Ｔｎ'はｎ番目のタイムスロットの開始時間（時刻）であり、このとき、ステーション２０は、次のウェイクアップ時間（時刻）であるタイムスロット時間を下記の数式４を通じて算出することができる。
【数４】
2005124159.tif 000007
【０１０２】
ここで、‘Td-a'はステーション２０のモードが次に転換される時間（時刻）であり、‘next TBTT'（TBTT：Target Beacon Transmission Time）は次のビーコンメッセージの受信時間（時刻）であり、‘Tn'はステーション２０が割当を受けたタイムスロットの開始時間（時刻）であり、‘transition time'はステーションがドーズモード状態からアクティブモード状態に転換するのに要する時間である。
【０１０３】
即ち、ステーション２０は、自機のタイムスロット時間に次のビーコンメッセージ受信時間を加えて、自機がドーズモードからアクティブモードへ転換するのにかかる時間の差を算出し、次のビーコンメッセージが受信されると、その算出された時間ほど経った後にアクティブ状態に転換され、アクセスポイント１０からフレームを受信し、残りの時間の間にドーズモードを維持する。
【０１０４】
また、ステーション２０は、音声フレームをアクセスポイント１０に送信しなければならない場合には、自機に割り当てられるタイムスロット時間に転換されてアクセスポイント１０で音声フレームを送信する。
【０１０５】
また、ステーション２０は、自機に割り当てられるタイムスロット時間の間にフレームが受信されない場合が所定回数繰り返されると、自機に割り当てられるタイムスロットが変更されたものと判断して、次のビーコンメッセージ受信時間(ＴＢＴＴ)にウェイクアップする。
【０１０６】
そして、ステーション２０は、上記の数式４を用いて次のフレームを受信するためにウェイクアップ時間(Td_a)を再度算出し、その算出された時間を参照して次のフレームを受信するためにドーズモード状態からアクティブモード状態へ転換されてフレームを交換する。
【０１０７】
図７は、本発明の好ましい実施形態によるＷＬＡＮ（Wireless LAN）基盤の音声通話中の電力を減少させるための方法の流れを説明するためのフローチャートである。
【０１０８】
以下、図７を参照して、本発明によるＷＬＡＮ（Wireless LAN）基盤の音声通話中の省電力方法について、より詳しく説明する。
【０１０９】
まず、制御部１３のタイムスロット処理部１３ａは、上記の数式２と数式３を用いて、各ステーション２０に割り当てるタイムスロットを算出する。そして、テーブル管理部１３ｂは、タイムスロット処理部１３ａが算出したタイムスロット時間を参照して、ＰＳ−ｐｏｌｌｉｎｇ ｌｉｓｔを生成して保存部１４に保存する。
【０１１０】
また、ＷＬＡＮアクセスポイント１０は、有線ネットワーク(図示せず)からステーション２０へ送信するフレームを受信する(ステップＳ１０)。
【０１１１】
ＷＬＡＮアクセスポイント１０の制御部１３は、受信されたフレームをバッファー１５に臨時保存し(ステップＳ１１)、その臨時保存されたフレームを送信するステーション２０を把握（detect）する。
【０１１２】
また、制御部１３は、把握されたステーション２０に該当するＴＩＭのビットを‘１'に設定してビーコンメッセージを生成し、その生成されたビーコンメッセージを各ステーション２０へ送信する(ステップＳ１２)。
【０１１３】
一方、各ステーション２０は、ドーズモード状態からアクティブモード状態へ転換しながらビーコンメッセージを受信し、該受信したビーコンメッセージのＴＩＭを分析して、自機のＴＩＭビットが‘１'に設定されているか否か判断する(ステップＳ１３)。
【０１１４】
その判断の結果、各ステーション２０は、自機のＴＩＭが‘０'に設定されている場合は、自機が受信するフレームが無いので、ドーズモード状態に戻り、‘１'に設定されている場合は、自機がＷＬＡＮアクセスポイント１０から受信するフレームが有るので、ＰＳ−ｐｏｌｌメッセージを生成してＷＬＡＮアクセスポイント１０に送信する(ステップＳ１４)。
【０１１５】
ＷＬＡＮアクセスポイント１０のテーブル管理部１３ｂは、ＰＳ−ｐｏｌｌメッセージを送信したステーション２０を、保存部１４に保存されているＰＳ−ｐｏｌｌｉｎｇ ｌｉｓｔテーブル１４ａに追加登録する(ステップＳ１５)。
【０１１６】
即ち、ＷＬＡＮアクセスポイント１０のテーブル管理部１３ｂは、保存部１４に保存されているＰＳ−ｐｏｌｌｉｎｇ ｌｉｓｔテーブル１４ａを参照して、ステーション２０に付与されなかった空白状態のナンバーを当該ステーション２０に付与し、それに相応するステーション区分フィールドに、そのステーションの情報を保存する。
【０１１７】
一方、テーブル管理部１３ｂは、保存部１４に保存されたＰＳ−ｐｏｌｌｉｎｇ ｌｉｓｔテーブル１４ａを参照し、ステーション２０に付与されなかったナンバー情報がない場合、即ち、ＷＬＡＮアクセスポイント１０が同時に管理することができるステーション２０の数がプール(pull)である場合には、ＷＬＡＮアクセスポイント１０がフレーム送信を拒否(reject)するようにする。
【０１１８】
また、テーブル管理部１３ｂは、フレーム交換が終わるステーション２０がある場合には、そのステーション２０をＰＳ−ｐｏｌｌｉｎｇ ｌｉｓｔテーブル１４ａから削除し、該当フィールドを空白状態に転換する。その後、フレーム送信が要求される場合、即ち、ステーション２０とフレーム交換が要求される場合には、テーブル管理部１３ｂは、ＰＳ−ｐｏｌｌｉｎｇ ｌｉｓｔテーブル１４ａに空白状態であるフィールドに相応するナンバーを当該ステーション２０に付与し、空白フィールドにそのステーション２０の情報を追加し、該当ナンバーに相応するタイムスロットをそのステーション２０に付与する。
【０１１９】
一方、制御部１３は、テーブル管理部１３ｂがＰＳ−ｐｏｌｌｉｎｇ ｌｉｓｔに当該ステーション２０を追加登録すると、そのステーション２０のＴＩＭビットを‘１'に設定してビーコンメッセージを生成し、当該生成したビーコンメッセージを、各ステーション２０へ送信する(ステップＳ１６)。
【０１２０】
そして、ステーション２０は、ビーコンメッセージが受信されて、フレームが受信される時間(Tn)、即ち、該当ステーション２０に割り当てられたタイムスロット開始時間(Tn)を算出して保存する。
【０１２１】
また、ステーション２０は、タイムスロット開始時間(Tn)を算出すると、これを用いて上記数式４により、次のフレームを受信するためのウェイクアップ時間(Td-a)を算出する。
【０１２２】
ここで算出される‘Td-a'は、ステーション２０がＷＬＡＮアクセスポイント１０からのビーコンメッセージを受信した場合に、そのビーコンメッセージの受信時点から‘Td-a'（図６参照）だけ経過した後にドーズモード状態からアクティブモード状態へ転換されるまでの時間であり、ＷＬＡＮアクセスポイント１０からフレームを受信するために算出される(ステップＳ１７)。
【０１２３】
そして、ステーション２０は、ＷＬＡＮアクセスポイント１０からフレームを受信する(ステップＳ１８)と、アクティブモード状態からドーズモード状態へ転換する。
【０１２４】
また、ステーション２０は、自機のタイムスロットの間に初めてフレームを受信した後にドーズモードに戻り、次のビーコンメッセージを受信し(ステップＳ１９)、そのビーコンメッセージを受信した時点で算出された次のフレーム受信開始時間(Td-a)が経過すると、アクティブモードに転換して、アクセスポイント１０から次のフレームを受信する(ステップＳ２０)。
【０１２５】
そして、次のフレームを受信したステーション２０は、さらにドーズモード状態に戻り、その次のビーコンメッセージを受信するまで待機する。
【０１２６】
以後、ＷＬＡＮアクセスポイント１０のテーブル管理部１３ｂは、ステーション２０から‘re-association’要請信号が受信される場合、即ち、ステーション２０がアクセスポイント１０の管理から脱しようと、‘re-association request'メッセージを送信する場合には、該当するステーション２０をＰＳ−ｐｏｌｌｉｎｇ ｌｉｓｔテーブル１４ａから削除し、該当ナンバーを空白状態に転換する。
【０１２７】
このとき、テーブル管理部１３ｂは、受信した‘reassociation request'メッセージの‘CF-Pollable'と‘CF-Poll Request'フィールドが‘０'であるか否かをチェックし、当該フィールドが‘０'である場合には、ステーション２０が通話を終了したと判断して、当該ステーション２０をＰＳ−ｐｏｌｌｉｎｇ ｌｉｓｔテーブル１４ａから削除する。
【０１２８】
また、ステーション２０は、自機に割り当てられるタイムスロット時間の間にフレームが受信されない場合が所定回数繰り返されると、即ち、自機のタイムスロットに無線通信が成立されない場合には、自機に割り当てられるタイムスロットが変更されたと判断して、次のビーコンメッセージ受信時間(ＴＢＴＴ)にウェイクアップする。
【０１２９】
そして、ステーション２０は、上記数式４を用いて次のフレームを受信するためにウェイクアップ時間(Td_a)を再度算出し、その算出された時間を参照して、次のフレームを受信するために、ドーズモード状態からアクティブモード状態へと転換して、フレームを交換する。
【０１３０】
以上、本発明の好適な実施の形態について添付図面を参照して詳細に説明したが、以上の説明及び添付図面における多くの特定詳細は、本発明のより全般的な理解のために提供されるものであり、これら特定事項が本発明の範囲内で種々の変形や変更が可能であることは、当該技術分野で通常の知識を有する者には自明であろう。
【図面の簡単な説明】
【０１３１】
【図１】一般的なＩＥＥＥ８０２．１１による無線通信システムの全体構成ブロック図である。
【図２】ＩＥＥＥ８０２．１１によるＤＣＦのアクセス制御方式を説明するための図である。
【図３】ＩＥＥＥ８０２．１１によるＰＣＦのアクセス制御方式を説明するための図である。
【図４】一般的なＰＣＦのアクセス制御方式で省電力アルゴリズムを説明するためのフローチャートである。
【図５】本発明の好ましい実施形態によるＷＬＡＮ（Wireless LAN）アクセスポイントの内部構成を示すブロック図である。
【図６】本発明の好ましい実施形態によるＷＬＡＮ（Wireless LAN）基盤の音声通話中に電力を減少させるためにタイムスロットを割り当てる方法の流れを説明するための図である。
【図７】本発明の好ましい実施形態によるＷＬＡＮ（Wireless LAN）基盤の音声通話中の電力を減少させるための方法の流れを説明するためのフローチャートである。
【符号の説明】
【０１３２】
１０  アクセスポイント
１１  無線インターフェース部
１２  有線インターフェース部
１３  制御部 
１３ａ  タイムスロット処理部
１３ｂ  テーブル管理部
１４  保存部
１４ａ  ＰＳ−ｐｏｌｌｉｎｇ ｌｉｓｔテーブル
１５  バッファー
２０  ステーション（無線音声端末）
【図１】
2005124159.tif 000008
【図２】
2005124159.tif 000009
【図３】
2005124159.tif 000010
【図４】
2005124159.tif 000011
【図５】
2005124159.tif 000012
【図６】
2005124159.tif 000013
【図７】
2005124159.tif 000014